(57)【要約】【課題】組み立て後に外箱を有効利用することができる吊り下げ型展示具を提供する。【解決手段】背面板３に対して前方に突出した棚板１０を有して壁面に吊り下げられる吊り下げ型展示具１であって、背面板３と背面板３に折り線を介して連設される一対の扉板４、５とを有して扉板４、５を背面板３に対して折曲して閉止される外箱１１と、背面板３に接着して上下方向に延びる折り線から成る折り畳み部６ａ、７ａを有した一対の側面板６、７と、折り線を介して側面板６、７を連結して背面板３に対向するとともに棚板１０が切り起こされる正面板２とを備え、側面板６、７を折り畳み部６ａ、７ａで折り畳み、扉板４、５の閉止により側面板６、７及び正面板２を外箱１１内に収納する。【選択図】図１
2015107144.tif 000002
【特許請求の範囲】
【請求項１】
背面板に対して前方に突出した棚板を有して壁面に吊り下げられる吊り下げ型展示具であって、前記背面板と前記背面板に折り線を介して連設される一対の第１扉板とを有して第１扉板を前記背面板に対して折曲して閉止される外箱と、前記背面板に接着して上下方向に延びる折り線から成る折り畳み部を有した一対の側面板と、折り線を介して両方の前記側面板を連結して前記背面板に対向するとともに前記棚板が切り起こされる正面板とを備え、前記側面板を前記折り畳み部で折り畳み、第１扉板の閉止により前記側面板及び前記正面板を前記外箱内に収納することを特徴とする吊り下げ型展示具。
【請求項２】
第１扉板を互いに係止して前記外箱が閉止されるとともに、前記外箱の開封時に第１扉板が前記背面板の後方に回動して互いに係止されることを特徴とする請求項１に記載の吊り下げ型展示具。
【請求項３】
前記外箱の開封時に第１扉板の少なくとも一方が前記背面板に沿って配されることを特徴とする請求項１に記載の吊り下げ型展示具。
【請求項４】
第１扉板が前記背面板の両側方に配されるとともに、前記背面板の上下にそれぞれ折り線を介して連設される一対の第２扉板を備え、第１扉板及び第２扉板を前記背面板に対して折曲して前記外箱が閉止されることを特徴とする請求項１または請求項２に記載の吊り下げ型展示具。
【請求項５】
前記外箱の開封時に第２扉板の少なくとも一方が前記背面板に沿って配されることを特徴とする請求項４に記載の吊り下げ型展示具。
【請求項６】
前記正面板から切り起こされる前記棚板の先端部が前記背面板に係止されるとともに、前記棚板の両側方に折り線を介して連設して前記側面板に沿って折曲される補強板を設けたことを特徴とする請求項１〜請求項５のいずれかに記載の吊り下げ型展示具。
【請求項７】
背面板に対して前方に突出した棚板を有して壁面に吊り下げられる吊り下げ型展示具であって、
前記背面板と、前記背面板の両側方に折り線を介して連設されるとともにマチ部を有する一対の第１扉板と、前記背面板の上下にそれぞれ折り線を介して連設されるとともにマチ部を有する一対の第２扉板とを有して、第１扉板及び第２扉板を前記背面板に対して折曲して閉止される外箱と、
前記背面板に接着して上下方向に延びる折り線から成る折り畳み部を有した一対の側面板と、
折り線を介して両方の前記側面板を連結して前記背面板に対向するとともに、上下に並設される複数の前記棚板が切り起こされる正面板と、
を備え、前記側面板を前記折り畳み部で折り畳むとともに、第１扉板及び第２扉板を前記背面板の前方に回動し、第１扉板の一方に突設した突設部を他方に設けたスリットに挿入して両方の前記側面板及び前記正面板を前記外箱内に収納し、
前記外箱の開封時に第１扉板が前記背面板の後方に回動して前記突設部を前記スリットに挿入して固定されるとともに、上方の第２扉板が前記背面板に沿って配され、前記棚板の先端部を前記背面板に設けたスリットに挿入して係止し、前記棚板の両側方に折り線を介して連設した補強板を前記側面板に沿って折曲したことを特徴とする吊り下げ型展示具。
【発明の詳細な説明】
【技術分野】
【０００１】
本発明は、店舗等の壁面に吊り下げられる吊り下げ型展示具に関する。
【背景技術】
【０００２】
スーパーマーケットやドラッグストア等の店舗の壁面に吊り下げられて商品を展示する従来の吊り下げ型展示具は特許文献１に開示されている。この吊り下げ型展示具は一のブランク板から組み立てられ、正面板、背面板、側面板、上板及び棚板を有する。正面板及び背面板は互いに対向し、折り線を介して両側方を側面板により連結して筒状の胴部が形成される。
【０００３】
上板は背面板の上端に連設され、背面板に沿って配される。上板には紐が挿通する孔部が設けられる。これにより、吊り下げ型展示具は店舗の壁面に吊り下げられる。棚板は正面板から切り起こされて先端部が背面板に設けた係止部に係止される。これにより、棚板は背面板に対して前方に突出する。
【０００４】
上記従来の吊り下げ型展示具は、胴部を対角位置の折り線で折曲した扁平状態で設置場所に搬送される。この時、棚板は正面板に沿った位置に配されている。これにより、吊り下げ型展示具をコンパクトに折り畳んだ状態で設置場所に容易に搬送することができる。
【０００５】
そして、設置場所において、側面板が背面板に対して略垂直になるように胴部を起こして、正面板から切り起される棚板の先端部を係止部に係止することにより吊り下げ型展示具が組み立てられる。これにより、設置場所において吊り下げ型展示具を迅速かつ容易に組み立てることができる。
【先行技術文献】
【特許文献】
【０００６】
【特許文献１】登録実用新案第２５２１２５０号公報（第２頁、第１図、第３図）
【発明の概要】
【発明が解決しようとする課題】
【０００７】
上記従来の吊り下げ型展示具は折り畳まれて外箱に収納された状態で設置場所に搬送されるのが一般的である。しかしながら、吊り下げ型展示具の組み立て後に外箱は不要になるため廃棄される。このため、外箱が無駄になる問題があった。
【０００８】
本発明は、組み立て後に外箱を有効利用することができる吊り下げ型展示具を提供することを目的とする。
【課題を解決するための手段】
【０００９】
上記目的を達成するために本発明は、背面板に対して前方に突出した棚板を有して壁面に吊り下げられる吊り下げ型展示具であって、前記背面板と前記背面板に折り線を介して連設される一対の第１扉板とを有して第１扉板を前記背面板に対して折曲して閉止される外箱と、前記背面板に接着して上下方向に延びる折り線から成る折り畳み部を有した一対の側面板と、折り線を介して両方の前記側面板を連結して前記背面板に対向するとともに前記棚板が切り起こされる正面板とを備え、前記側面板を前記折り畳み部で折り畳み、第１扉板の閉止により前記側面板及び前記正面板を前記外箱内に収納することを特徴としている。
【００１０】
この構成によると、第１扉板を開いて外箱を開封した後に、折り畳まれた側面板を伸張していくと、正面板が背面板から離れる方向に移動する。その後に、正面板から棚板を切り起こして棚板を背面板に対して前方に突出させる。棚板上には商品等が載置される。
【００１１】
また本発明は、上記構成の吊り下げ型展示具において、第１扉板を互いに係止して前記外箱が閉止されるとともに、前記外箱の開封時に第１扉板が前記背面板の後方に回動して互いに係止されると好ましい。この構成によると、第１扉板の係止を解除して外箱が開封される。また、吊り下げ型展示具の組み立て後には、第１扉板は背面板の後方で互いに係止される。
【００１２】
また本発明は、上記構成の吊り下げ型展示具において、前記外箱の開封時に第１扉板の少なくとも一方が前記背面板に沿って配されると好ましい。この構成によると、吊り下げ型展示具の組み立て後に、第１扉板の一方は例えば棚板の側方に配置される。
【００１３】
また本発明は、上記構成の吊り下げ型展示具において、第１扉板が前記背面板の両側方に配されるとともに、前記背面板の上下にそれぞれ折り線を介して連設される一対の第２扉板を備え、第１扉板及び第２扉板を前記背面板に対して折曲して前記外箱が閉止されると好ましい。この構成によると、第１扉板及び第２扉板を開いて外箱が開封される。
【００１４】
また本発明は、上記構成の吊り下げ型展示具において、前記外箱の開封時に第２扉板の少なくとも一方が前記背面板に沿って配されると好ましい。この構成によると、吊り下げ型展示具の組み立て後に、第２扉板の一方は例えば棚板の上方に配置される。
【００１５】
また本発明は、上記構成の吊り下げ型展示具において、前記正面板から切り起こされる前記棚板の先端部が前記背面板に係止されるとともに、前記棚板の両側方に折り線を介して連設して前記側面板に沿って折曲される補強板を設けると好ましい。この構成によると、棚板の先端部を背面板に係止すると、棚板は背面板に対して前方に突出する。この時、補強板によって棚板は補強される。
【００１６】
また本発明は、背面板に対して前方に突出した棚板を有して壁面に吊り下げられる吊り下げ型展示具であって、
前記背面板と、前記背面板の両側方に折り線を介して連設されるとともにマチ部を有する一対の第１扉板と、前記背面板の上下にそれぞれ折り線を介して連設されるとともにマチ部を有する一対の第２扉板とを有して、第１扉板及び第２扉板を前記背面板に対して折曲して閉止される外箱と、
前記背面板に接着して上下方向に延びる折り線から成る折り畳み部を有した一対の側面板と、
折り線を介して両方の前記側面板を連結して前記背面板に対向するとともに、上下に並設される複数の前記棚板が切り起こされる正面板と、
を備え、前記側面板を前記折り畳み部で折り畳むとともに、第１扉板及び第２扉板を前記背面板の前方に回動し、第１扉板の一方に突設した突設部を他方に設けたスリットに挿入して両方の前記側面板及び前記正面板を前記外箱内に収納し、
前記外箱の開封時に第１扉板が前記背面板の後方に回動して前記突設部を前記スリットに挿入して固定されるとともに、上方の第２扉板が前記背面板に沿って配され、前記棚板の先端部を前記背面板に設けたスリットに挿入して係止し、前記棚板の両側方に折り線を介して連設した補強板を前記側面板に沿って折曲したことを特徴としている。
【発明の効果】
【００１７】
本発明によると、背面板と背面板に連設される一対の第１扉板とを有して第１扉板を背面板に対して折曲して閉止される外箱を有し、正面板を連結した側面板を折り畳み部で折り畳み、第１扉板の閉止により側面板及び正面板を外箱内に収納する。これにより、吊り下げ型展示具をコンパクトに折り畳んだ状態で外箱と一体にして設置場所に搬送し、設置場所で容易に組み立てることができる。また、吊り下げ型展示具の組み立て後には外箱を吊り下げ型展示具の一部として利用することができる。したがって、吊り下げ型展示具の組み立て後でも外箱を有効利用することができる。
【図面の簡単な説明】
【００１８】
【図１】本発明の実施形態の吊り下げ型展示具を示す斜視図
【図２】本発明の実施形態の吊り下げ型展示具の外箱を形成するブランク板を示す展開図
【図３】本発明の実施形態の吊り下げ型展示具の正面板及び側面板を形成するブランク板を示す展開図
【図４】本発明の実施形態の吊り下げ型展示具の外箱内に正面板及び側面板を収納した様子を示す斜視図
【図５】本発明の実施形態の吊り下げ型展示具の外箱を開封した様子を示す斜視図
【図６】本発明の実施形態の吊り下げ型展示具の外箱の開封時に側面板を伸張して棚板の先端部を背面板に係止した様子を示す斜視図
【図７】本発明の実施形態の吊り下げ型展示具の外箱の開封時に第１扉板を背面板の後方に回動させて互いに係止する様子を示す斜視図
【発明を実施するための形態】
【００１９】
以下に本発明の実施形態を図面を参照して説明する。図１は本発明の一実施形態の吊り下げ型展示具の斜視図を示している。吊り下げ型展示具１は、正面板２、背面板３、一対の側面板６、７及び棚板１０を有する。詳細を後述するように、背面板３は外箱１１（図４参照）の一部を形成する。
【００２０】
背面板３は吊り下げ型展示具１の背面を覆う。背面板３の上端部には２つのハトメ１９が左右に並設される。また、背面板３の上方には延設部４０が設けられる。延設部４０の上端部には２つのハトメ２０が左右に並設される。背面板３及び延設部４０のハトメ１９、２０には環状の紐状部材３０が挿通される。これにより、吊り下げ型展示具１を店舗の壁面に吊り下げることができる。
【００２１】
側面板６、７はそれぞれ糊代片６ｂ、７ｂ（図３参照）を介して背面板３に接着される。また、側面板６、７はそれぞれ上下方向に延びる折り線５０から成る折り畳み部６ａ、７ａを有する。これにより、側面板６、７を折り畳み部６ａ、７ａで水平方向に折り畳むことができる。
【００２２】
正面板２は折り線５０を介して側面板６、７に連結され、背面板３に対向する。また、正面板２から切り起こされて水平に配される２枚の棚板１０が上下に並設される。棚板１０上には商品等が載置される。なお、本実施形態では棚板１０を２枚設けているが、１枚でもよく、また３枚以上設けてもよい。
【００２３】
この時、棚板１０上に載置される商品に関する絵、写真や文字等を延設部４０や正面板２の前面に印刷することにより、商品の広告宣伝を行うことができる。
【００２４】
棚板１０の両側方には折り線５０を介して補強板１０ｂが連設される。補強板１０ｂは側面板６、７に沿って折曲される。これにより、商品等を載置した棚板１０の撓みを防止することができる。なお、図１において、補強板１０ｂを棚板１０の上方に折り曲げているが、棚板１０の下方に折り曲げてもよい。
【００２５】
図２は吊り下げ型展示具１の外箱１１を形成するブランク板２１の展開図を示している。図３は吊り下げ型展示具１の正面板２及び側面板６、７を形成するブランク板２２の展開図を示している。図２及び図３では組み立て後の吊り下げ型展示具１の前面になる部分を表にして展開している。ブランク板２１、２２はロール紙や紙製のシートを打ち抜いて形成される。
【００２６】
ブランク板２１、２２の材質に特に限定はないが、例えばマニラボール、ボール紙、カード紙、クラフトボール等の板紙を用いることができる。なお、樹脂シートによりブランク板２１、２２を形成してもよい。
【００２７】
ブランク板２１は背面板３の両側方に折り線５０を介して一対の扉板４、５が連設され、上下に折り線５０を介して一対の扉板８、９が連設される。上方の扉板８は下方の扉板９よりも広い面積を有している。扉板４、５、８、９の背面板３側にはそれぞれマチ部１２が形成される。
【００２８】
背面板３には２つの係止部３ａが上下に並設される。係止部３ａは上に凸のコ字状のスリットにより形成される。係止部３ａには棚板１０の先端部１０ａ（図３参照）が係止される。背面板３の右端部及び左端部にはそれぞれ接着領域Ａ１、Ａ２が設けられる。
【００２９】
右方の扉板４の右端には突設部４ａ、４ｂが上下に並んで突設される。左方の扉板５の左端部にはスリット５ａ、５ｂが上下に並設される。スリット５ａ、５ｂにはそれぞれ突設部４ａ、４ｂが挿入される。
【００３０】
扉板８により延設部４０（図１参照）が形成される。背面板３及び扉板８にはハトメ１９、２０が設けられ、紐状部材３０（図１参照）が取り付けられる。
【００３１】
ブランク板２２は正面板２の一側方に折り線５０を介して側面板６及び糊代片６ｂが連設され、他側方に折り線５０を介して側面板７及び糊代片７ｂが連設される。糊代片６ｂ、７ｂには接着領域Ｂ１、Ｂ２が設けられる。側面板６、７には上下に延びた折り線５０から成る折り畳み部６ａ、７ａが設けられる。
【００３２】
正面板２上には棚板１０が上下に並設される。上方の棚板１０は上方を開放して側面板６、７と分割する一対のスリット２ａの下端を水平な折り線５０により連結し、正面板２から切り起こされる。下方の棚板１０は側面板６、７と分割して上に凸のコ字状のスリット２ｂの下端を水平な折り線５０により連結し、正面板２から切り起こされる。
【００３３】
ブランク板２２は、側面板６、７が正面板２の内面側に向けて折り線５０で略９０度折り曲げられる。そして、糊代片６ｂ、７ｂがそれぞれ側面板６、７の内面側に向けて折り線５０で略９０度折り曲げられる。
【００３４】
そして、接着領域Ａ１、Ｂ１の少なくとも一方に接着剤等を塗布し、接着領域Ａ１、Ｂ１で背面板３と側面板６とを貼り合わせる。また、接着領域Ａ２、Ｂ２の少なくとも一方に接着剤等を塗布し、接着領域Ａ２、Ｂ２で背面板３と側面板７とを貼り合わせる。これにより、側面板６、７が背面板３に接着される。
【００３５】
この時、側面板６、７は折り畳み部６ａ、７ａで谷折りされる。すなわち、側面板６、７は互いに近づくように折り畳み部６ａ、７ａで折り畳まれる。これにより、正面板２は背面板３に近接して重なった状態に配されるとともに、棚板１０は背面板３と略平行で背面板３上に重なった状態に配される。
【００３６】
次に、折り畳まれた側面板６、７が接着されたブランク板２１に紐状部材３０が取り付けられ、扉板８、９を側面板６、７に向けてマチ部１２を介して折り線５０で略１８０度折り曲げる。これにより、扉板８、９は折り畳まれた側面板６、７上に重なった状態に配される。その後に、扉板４、５を扉板８、９に向けてマチ部１２を介して折り線５０で略１８０度折り曲げる。これにより、扉板４、５は扉板８、９上に重なった状態に配される。
【００３７】
図４は、搬送の際の吊り下げ型展示具１を示す斜視図である。上記の折曲操作により、背面板３、扉板４、５及び扉板８、９から外箱１１が形成され、外箱１１内に側面板６、７及び正面板２が収納される。そして、突設部４ａ、４ｂをそれぞれスリット５ａ、５ｂに挿入して、外箱１１が閉止される。
【００３８】
これにより、吊り下げ型展示具１を外箱１１と一体にした状態で設置場所へ搬送し、保管することができる。また、搬送及び保管の際に、組み立て後に顧客等に視認されやすい側面板６、７、正面板２及び棚板１０の損傷等を防止することができる。また、吊り下げ型展示具１の廃棄の際には外箱１１内に側面板６、７、正面板２及び棚板１０を収納することにより吊り下げ型展示具１の減容化を図ってゴミ容量を削減することができる。
【００３９】
この時、マチ部１２が背面板３に対して略垂直になるように配されるため、側面板６、７及び正面板２を収納する空間を外箱１１内に十分に確保することができる。なお、マチ部１２を省いてもよい。
【００４０】
図５、図６、図７は、外箱１１を開封した様子を示す斜視図である。なお、図５、図６、図７において、紐状部材３０の図示を省略している。吊り下げ型展示具１は設置場所において、図５に示すように、図４の外箱１１の閉止状態から突設部４ａ、４ｂをスリット５ａ、５ｂから抜いて扉板４、５を互いに離れる方向に回動させる。これにより、外箱１１を開封することができる。
【００４１】
次に、図６に示すように、扉板８、９を背面板３の後方に向けて折り線５０で折り曲げるとともに、折り畳まれている側面板６、７を背面板３上で伸張する。その後に、上下の棚板１０を正面板２から切り起こして水平に配し、棚板１０の後端から下方に折曲される先端部１０ａを背面板３の係止部３ａに係止する。これにより、棚板１０は背面板３に対して前方に突出して形成される。
【００４２】
次に、図７に示すように、扉板８を回動させ、背面板３に沿って背面板３の上方に配する。また、扉板４、５、９を回動させて背面板３の後方に配する。その後に、突設部４ａ、４ｂをそれぞれスリット５ａ、５ｂに挿入する。これにより、背面板３の後方で扉板４、５を互いに係止することができる。この時、扉板９は背面板３と扉板４、５との間に配される。以上の動作により、吊り下げ型展示具１を設置場所で容易に組み立てることができる。
【００４３】
その後に、紐状部材３０を介して吊り下げ型展示具１を店舗の壁面に掛け、棚板１０上に商品を載置する。これにより、商品の展示が行われる。
【００４４】
また、棚板１０上に載置される商品に関する絵、写真や文字等を扉板８の前面に印刷すると、商品の広告宣伝を容易に行うことができる。なお、扉板８の前面は無地でもよく、また商品とは関係のない模様等を扉板８の前面に描画してもよい。
【００４５】
本実施形態によると、背面板３と背面板３に連設される一対の扉板４、５（第１扉板）とを有して扉板４、５を背面板３に対して折曲して閉止される外箱１１を有し、正面板２を連結した側面板６、７を折り畳み部６ａ、７ａで折り畳み、扉板４、５の閉止により側面板６、７及び正面板２を外箱１１内に収納する。これにより、吊り下げ型展示具１をコンパクトに折り畳んだ状態で外箱１１と一体にして設置場所に搬送し、設置場所で容易に組み立てることができる。また、吊り下げ型展示具１の組み立て後には外箱１１を吊り下げ型展示具１の一部として利用することができる。したがって、吊り下げ型展示具１の組み立て後でも外箱１１を有効利用することができる。
【００４６】
また、突設部４ａ、４ｂ及びスリット５ａ、５ｂによって扉板４、５を互いに係止して外箱１１が閉止されるので、吊り下げ型展示具１の搬送時や保管時の外箱１１の開放を防止することができる。したがって、吊り下げ型展示具１の搬送時や保管時の正面板２や側面板６、７の損傷等を防止することができる。
【００４７】
また、外箱１１の開封時に扉板４、５が背面板３の後方に回動して突設部４ａ、４ｂ及びスリット５ａ、５ｂによって互いに係止される。これにより、背面板３の強度を向上させることができる。
【００４８】
この時、背面板３に対して略垂直に配されたマチ部１２によって、吊り下げ型展示具１を壁面に吊り下げた際の背面板３の撓みを低減し、ひいては吊り下げ型展示具１の型崩れを防止することができる。
【００４９】
また、背面板３の両側方に配した扉板４、５及び背面板３の上下に配した扉板８、９（第２扉板）を背面板３に対して折曲して外箱１１が閉止される。これにより、吊り下げ型展示具１の搬送時等の正面板２や側面板６、７の損傷等をより確実に防止することができる。
【００５０】
また、外箱１１の開封時に扉板８が背面板３に沿って配されて延設部４０を形成するので、扉板８の前面に商品に関する絵、写真や文字等を印刷して商品の広告宣伝を容易に行うことができる。
【００５１】
また、正面板２から切り起こされる棚板１０の先端部１０ａが背面板３に係止されるため、背面板３に対して前方に突出する棚板１０を容易に形成することができる。また、棚板１０の両側方に折り線５０を介して連設して側面板６、７に沿って折曲される補強板１０ｂを設けているため、商品等を載置した棚板１０の撓みを防止することができる。
【００５２】
なお、本実施形態において、外箱１１の開封時に扉板４、５の少なくとも一方を背面板３に沿って背面板３の側方に配してもよい。この場合に、棚板１０上に載置される商品に関する絵、写真や文字等を扉板４、５の前面に印刷すると、商品の広告宣伝を容易に行うことができるので好ましい。
【００５３】
また、扉板８を背面板３と扉板４、５との間に収納するとともに扉板９を背面板３に沿って背面板３の下方に配してもよい。この場合でも商品に関する絵、写真や文字等を扉板９の前面に印刷して商品の広告宣伝を行うことができる。この時、背面板３のハトメ１９のみに紐状部材３０を挿通することにより、吊り下げ型展示具１を店舗の壁面に吊り下げることができる。
【００５４】
また、外箱１１の開封時に扉板８、９を背面板３に沿ってそれぞれ背面板３の上下に配し、扉板８、９の両方の前面に商品に関する絵、写真や文字等を印刷して商品の広告宣伝を行ってもよい。この時、さらに扉板４、５の両方を背面板３に沿って背面板３の側方に配し、扉板４、５の両方の前面に商品に関する絵、写真や文字等を表示して商品の広告宣伝を行ってもよい。これにより、正面から見て棚板１０上に載置される商品を囲むように広告が表示される。したがって、棚板１０上に載置される商品について一層インパクトのある広告宣伝を行うことができる。
【００５５】
また、扉板８、９を省いて左右の二方向から外箱１１を閉止してもよい。また、扉板４、５を互いに係止して外箱１１を閉止しているが、扉板８、９（第１扉板）を互いに係止して外箱１１を閉止してもよい。この時、扉板４、５を省いて上下の二方向から外箱１１を閉止してもよい。
【００５６】
また、突設部４ａ、４ｂ及びスリット５ａ、５ｂに替えて、扉板４、５に面ファスナーを設けてもよい。面ファスナーはフック状に起毛されたフック部とループ状に密集して起毛されたループ部とから成る。例えば、扉板４にフック部を設けるとともに扉板５にループ部を設け、フック部とループ部とを互いに押し付け合うことにより扉板４、５を互いに係止してもよい。
【産業上の利用可能性】
【００５７】
本発明は、店舗の壁面に吊り下げられる吊り下げ型展示具に利用することができる。
【符号の説明】
【００５８】
１      吊り下げ型展示具
２      正面板
３      背面板
４、５    扉板（第１扉板）
４ａ、４ｂ    突設部
５ａ、５ｂ    スリット
６、７  側面板
６ａ、７ａ    折り畳み部
６ｂ、７ｂ    糊代片
８、９    扉板（第２扉板）
１０      棚板
１０ａ    先端部
１０ｂ    補強板
１１      外箱
１２      マチ部
１９、２０      ハトメ
２１、２２    ブランク板
３０      紐状部材
４０      延設部
５０      折り線
【図１】
2015107144.tif 000003
【図２】
2015107144.tif 000004
【図３】
2015107144.tif 000005
【図４】
2015107144.tif 000006
【図５】
2015107144.tif 000007
【図６】
2015107144.tif 000008
【図７】
2015107144.tif 000009